(57)【特許請求の範囲】
【請求項１】
ユーザ機器(UE)であって、
トランシーバと、
前記トランシーバと通信するプロセッサであって、
前記トランシーバに、進化型NodeB(eNB)に対する接続性を要求するメッセージを送信させ、前記メッセージは、該メッセージの送信の要因を示し、示された前記要因は、既存の免許人によるライセンスされた共有アクセス(LSA)周波数帯域の再利用に起因する前記ライセンスされた共有アクセス(LSA)周波数帯域の喪失の要因であり、
前記トランシーバが、カスタマイズされた無線リソース制御(RRC)接続プロセスの使用によりプライマリロングタームエボリューション(LTE)周波数帯域の上の前記進化型NodeB(eNB)に接続するようにさせ、前記カスタマイズされた無線リソース制御(RRC)接続プロセスは、前記ライセンスされた共有アクセス(LSA)周波数帯域と関連する無線リソース制御(RRC)接続情報を再使用する、ように構成される、プロセッサと、を含む、
ユーザ機器(UE)。
【請求項２】
前記ユーザ機器(UE)がRRC-Idle状態で動作している場合に、前記ライセンスされた共有アクセス(LSA)周波数帯域の喪失の要因を示すRRC接続要求メッセージを送信するように構成される、請求項１に記載のユーザ機器(UE)。
【請求項３】
前記ライセンスされた共有アクセス(LSA)周波数帯域の喪失の要因を示すRRC接続要求メッセージを送信する前に、アップリンクデータ又はダウンリンクデータの到着を待つように構成される、請求項１に記載のユーザ機器(UE)。
【請求項４】
前記ユーザ機器(UE)がRRC-Connected状態で動作している場合に、前記ライセンスされた共有アクセス(LSA)周波数帯域の喪失の要因を示すRRC  Connection  Reestablishment  Request再接続要求メッセージを送信するように構成される、請求項１に記載のユーザ機器(UE)。
【請求項５】
"LSASpectrumRelease"を含むメッセージを送信することにより、前記ライセンスされた共有アクセス(LSA)周波数帯域の喪失の要因を示すように構成される、請求項１に記載のユーザ機器(UE)。
【請求項６】
前記ユーザ機器(UE)が以前のRRC-Idle状態で動作している場合の前記プライマリロングタームエボリューション(LTE)周波数帯域への接続の後に、RRC  Connection  Setup  Complete接続完了メッセージを送信するように構成される、請求項１に記載のユーザ機器(UE)。
【請求項７】
前記ユーザ機器(UE)が以前のRRC-Connected状態で動作している場合の前記プライマリロングタームエボリューション(LTE)周波数帯域への接続の後に、RRC  Connection  Reestablishment  Complete再接続完了メッセージを送信するように構成される、請求項１に記載のユーザ機器(UE)。
【請求項８】
命令を含むコンピュータプログラムであって、前記命令は、ユーザ機器(UE)の1つ又は複数のプロセッサによって実行されると、前記ユーザ機器(UE)に、
既存の免許人によるライセンスされた共有アクセス(LSA)周波数帯域の再利用に応答して、進化型NodeB(eNB)に対する接続性を要求するメッセージを送信する動作であって、前記メッセージは、該メッセージの送信のための要因として、前記ライセンスされた共有アクセス(LSA)周波数帯域の喪失を示す、送信する動作と、
前記ライセンスされた共有アクセス(LSA)周波数帯域と関連する無線リソース制御(RRC)接続情報の再使用によって、プライマリロングタームエボリューション(LTE)周波数帯域の上で動作する前記進化型NodeB(eNB)に接続する動作と、を実行させる、コンピュータプログラム。
【請求項９】
前記ユーザ機器(UE)がRRC-Idle状態で動作している場合に、前記ライセンスされた共有アクセス(LSA)周波数帯域の喪失の要因を示すRRC接続要求メッセージを送信する動作を前記ユーザ機器(UE)に実行させる命令をさらに含む、請求項８に記載のコンピュータプログラム。
【請求項１０】
前記ライセンスされた共有アクセス(LSA)周波数帯域の喪失の要因を示すRRC接続要求メッセージを送信する前に、アップリンクデータ又はダウンリンクデータの到着を待つ動作を前記ユーザ機器(UE)に実行させる命令をさらに含む、請求項８に記載のコンピュータプログラム。
【請求項１１】
前記ユーザ機器(UE)がRRC-Connected状態で動作している場合に、前記ライセンスされた共有アクセス(LSA)周波数帯域の喪失の要因を示すRRC  Connection  Reestablishment  Request再接続要求メッセージを送信する動作を前記ユーザ機器(UE)に実行させる命令をさらに含む、請求項８に記載のコンピュータプログラム。
【請求項１２】
"LSASpectrumRelease"を含むメッセージを送信することにより、前記ライセンスされた共有アクセス(LSA)周波数帯域の喪失の要因を示す動作を前記ユーザ機器(UE)に実行させる命令をさらに含む、請求項８に記載のコンピュータプログラム。
【請求項１３】
前記ユーザ機器(UE)が以前の状態であるRRC-Idle状態で動作している場合の前記プライマリロングタームエボリューション(LTE)周波数帯域への接続の後に、RRC  Connection  Setup  Complete接続完了メッセージを送信する動作を前記ユーザ機器(UE)に実行させる命令をさらに含む、請求項８に記載のコンピュータプログラム。
【請求項１４】
前記ユーザ機器(UE)が以前の状態であるRRC-Connected状態で動作している場合に前記プライマリロングタームエボリューション(LTE)周波数帯域に選択的に接続した後に、RRC  Connection  Reestablishment  Complete再接続完了メッセージを送信する動作を前記ユーザ機器(UE)に実行させる命令をさらに含む、請求項８に記載のコンピュータプログラム。
【請求項１５】
進化型NodeB(eNB)であって、
トランシーバと、
前記トランシーバと通信するプロセッサであって、
前記トランシーバに、接続性を要求するメッセージをユーザ機器(UE)から受信させ、前記メッセージは、該メッセージの送信の要因として、既存の免許人によるライセンスされた共有アクセス(LSA)周波数帯域の再利用に起因する前記ライセンスされた共有アクセス(LSA)周波数帯域の喪失の要因を示し、前記メッセージは、前記ライセンスされた共有アクセス(LSA)周波数帯域の再利用の後の猶予期間における前記ユーザ機器(UE)への指示の送信の前に受信され、前記指示は、プライマリロングタームエボリューション(LTE)周波数帯域に戻るように指示するように構成され、
前記トランシーバが、カスタマイズされた無線リソース制御(RRC)接続プロセスの使用によりプライマリロングタームエボリューション(LTE)周波数帯域の上の当該進化型NodeB(eNB)に接続するように前記ユーザ機器(UE)に指示するようにさせ、前記カスタマイズされた無線リソース制御(RRC)接続プロセスは、前記ライセンスされた共有アクセス(LSA)周波数帯域と関連する無線リソース制御(RRC)接続情報を再使用する、ように構成される、プロセッサと、を含む、
進化型NodeB(eNB)。
【請求項１６】
前記ユーザ機器(UE)がRRC-Idle状態で動作している場合に、前記ライセンスされた共有アクセス(LSA)周波数帯域の喪失の要因を示すRRC接続要求メッセージを受信するように構成される、請求項１５に記載の進化型NodeB(eNB)。
【請求項１７】
前記ユーザ機器(UE)がRRC-Connected状態で動作している場合に、前記ライセンスされた共有アクセス(LSA)周波数帯域の喪失の要因の指標を搬送するRRC  Connection  Reestablishment  Request再接続要求メッセージを受信するように構成される、請求項１５に記載の進化型NodeB(eNB)。
【請求項１８】
"LSASpectrumRelease"を含むメッセージを送信することにより、前記ライセンスされた共有アクセス(LSA)周波数帯域の喪失の要因を受信するように構成される、請求項１５に記載の進化型NodeB(eNB)。
【請求項１９】
前記ユーザ機器(UE)が以前の状態であるRRC-Idle状態で動作している場合の前記プライマリロングタームエボリューション(LTE)周波数帯域への接続の後に、RRC  Connection  Setup  Complete接続完了メッセージを受信するように構成される、請求項１５に記載の進化型NodeB(eNB)。
【請求項２０】
前記ユーザ機器(UE)が以前の状態であるRRC-Connected状態で動作している場合の前記プライマリロングタームエボリューション(LTE)周波数帯域への接続の後に、RRC  Connection  Reestablishment  Complete再接続完了メッセージを受信するように構成される、請求項１５に記載の進化型NodeB(eNB)。
【請求項２１】
ライセンスされた共有アクセス(LSA)周波数帯域の喪失の後に接続性を確立する方法であって、
進化型NodeB(eNB)への接続性を要求するメッセージを送信する動作であって、前記メッセージは、該メッセージの送信の要因を示し、示された前記要因は、既存の免許人によるライセンスされた共有アクセス(LSA)周波数帯域の再利用に起因する前記ライセンスされた共有アクセス(LSA)周波数帯域の喪失の要因である、送信する動作と、
前記ライセンスされた共有アクセス(LSA)周波数帯域の前記再利用と関連する無線リソース制御(RRC)接続情報の再使用によって、プライマリロングタームエボリューション(LTE)周波数帯域の上で動作する前記進化型NodeB(eNB)に接続する動作と、を含む、
方法。
【請求項２２】
ユーザ機器(UE)がRRC-Idle状態で動作している場合に、前記ライセンスされた共有アクセス(LSA)周波数帯域の喪失の要因を示すRRC接続要求メッセージを送信する動作をさらに含む、請求項２１に記載の方法。
【請求項２３】
前記ライセンスされた共有アクセス(LSA)周波数帯域の喪失の要因を示すRRC接続要求メッセージを送信する前に、アップリンクデータ又はダウンリンクデータの到着を待つ動作をさらに含む、請求項２１に記載の方法。
【請求項２４】
ユーザ機器(UE)がRRC-Connected状態で動作している場合に、前記ライセンスされた共有アクセス(LSA)周波数帯域の喪失の要因を示すRRC  Connection  Reestablishment  Request再接続要求メッセージを送信する動作をさらに含む、請求項２１に記載の方法。
【請求項２５】
"LSASpectrumRelease"を含むメッセージを送信することにより、前記ライセンスされた共有アクセス(LSA)周波数帯域の喪失の要因を示す動作をさらに含む、請求項２１に記載の方法。
【請求項２６】
請求項８乃至１４のいずれか１項に記載のコンピュータプログラムを格納した非一時的コンピュータ読み取り可能な記憶媒体。
【発明の詳細な説明】
【技術分野】
【０００１】
本願は、2014年6月2日に出願された米国特許出願14/293,426号に基づく優先権を主張し、同米国特許出願の利益を主張するものであり、米国特許出願14/293,426号の内容は、本願の参照として取り入れられる。
【０００２】
複数の例は、概して、LTE（long  term  evolution）ネットワークに関している。1つ又は複数の例が、LTEネットワークにおけるライセンスされた共有アクセス（Licensed  Shared  Access（LSA））の実装に関している。
【背景技術】
【０００３】
無線通信システムは、広範囲に配置されて、音声、データ及び他のメディア等のさまざまなタイプの通信コンテンツを提供する。これらの無線通信システムは、（例えば、帯域幅や送信電力等の）複数の利用可能なシステムリソースを共有することにより複数のユーザとの通信をサポートすることができる多元接続システムであってもよい。そのような多元接続システムの例は、符号分割多元接続（CDMA）システム、時分割多元接続（TDMA）システム、周波数分割多元接続（FDMA）システム、3GPP（Third-Generation  Partnership  Project）LTEシステム及び直交周波数分割多元接続（OFDMA）システムを含む。すべての多元接続無線通信システムは、複数のベアラサービス要件をサポートするために利用可能な無線スペクトラムへの十分なアクセスを必要とする。
【０００４】
ライセンスされた共有アクセス（LSA）は、新しい革新的なフレームワークの1つであり、スペクトラムの不足に対処するために、ライセンスされたスペクトラムに対する調整された共有アクセスを可能とすることにより利用可能なスペクトラムのより効率的な利用を可能とする。現在、中断されたハンドオフの間に、ライセンスされた共有アクセス（LSA）周波数帯域からプライマリLTE周波数帯域上で動作する進化型NodeB（eNB）へのユーザ機器（UE）の効率的な再接続のためのプロトコルは、3GPP  LTE規格では存在しない。したがって、提案される動的な周波数共有システムの十分な恩恵を得るために、中断されるLSAハンドオフの間のUEの再接続のために3GPP  LTE規格における現在のハンドオフシグナリングに対する強化の必要性が存在する。
【図面の簡単な説明】
【０００５】
図面は、必ずしもスケール化されておらず、同様の数字は、異なる視点からの同様の構成要素を説明していてもよい。異なる添え字を付した同様の数字は、同様の構成要素の異なる例を示していてもよい。図面は、本明細書中で説明されるさまざまな実施形態を、限定的な意図ではなく一例として、一般的に示している。
【０００６】
【図１】いくつかの実施形態に従った、セルラネットワークにおける動的な周波数共有のハイレベルブロック線図の一例を示す図である。
【図２】いくつかの実施形態に従った例示的なライセンスされた共有アクセス（LSA）システムを図示するハイレベルブロック線図である。
【図３】いくつかの実施形態に従ったライセンスされた共有アクセス（LSA）のための中断されたハンドオフの再接続を図示するハイレベルフローチャートの概略図である。
【図４Ａ】いくつかの実施形態に従ったLSAのための中断されたハンドオフの再接続の例示的な手順を示す図である。
【図４Ｂ】いくつかの実施形態に従ったLSAのための中断されたハンドオフの再接続の例示的な手順を示す図である。
【図５】いくつかの実施形態に従った例示的な通信局の機能ブロック図である。
【図６】本明細書で説明される（例えば、方法等の）1つ又は複数の技術を実行することができる装置の一例のブロック図である。
【発明を実施するための形態】
【０００７】
以下の記載及び添付の図面は、複数の固有の実施形態を十分に示しており、それらの固有の実施形態は、当業者がそれらの固有の実施形態を実用化するのを可能にする。他の実施形態は、構造的な変更、論理的な変更、電気的な変更、プロセス上の変更、及びその他の変更を包含してもよい。いくつかの実施形態の複数の部分及び特徴は、他の実施形態のそれらに含まれてもよく、又はそれらによって置換されてもよい。請求項に記載される実施形態は、それらの請求項のすべての利用可能な等価な発明を包含する。
【０００８】
「例示的な（exemplary）」という語は、「例（example）、実例（instance）、又は説明（illustration）として役立つ（serving  as）」を意味するものとして本明細書中で使用される。「例示的な」として本明細書中で記載される実施形態は、他の実施形態と比較して好ましい又は有利であると必然的に解釈されるべきではない。本明細書で使用される「通信局（communication  station）」、「局（station）」、「ハンドヘルドデバイス（handheld  device）」、「モバイルデバイス（mobile  device）」、「無線デバイス（wireless  device）」及び「ユーザ機器（ＵＥ）（User  Equipment  （UE））」等の語は、セルラーフォン、スマートフォン、タブレット、ネットブック、無線端末、ラップトップコンピュータ、フェムトセル高データレート（HDR）加入者局、アクセスポイント、アクセス端末、又は他のパーソナル通信システム（PCS）デバイス等の無線通信デバイスを指す。デバイスは、移動可能であっても静止したものであってもよい。
【０００９】
本明細書中で使用される「アクセスポイント（access  point）」の語は、固定された局を意味していてもよい。アクセスポイントは、当該技術分野において知られているようにアクセスノード、基地局、又は他の同様な技術を指称するものであってもよい。アクセス端末は、当該技術分野において知られているように「移動局（mobile  station）」、「ユーザ機器（UE）」、無線通信デバイス、又は他の同様な技術を指称するものであってもよい。
【００１０】
「放棄する（relinquish）」、「解放する（release）」、及び「返す（return）」の語は、LSAスペクトラムの既存免許人又は既存ユーザ（incumbent）への明け渡しを意味するために本明細書中で使用される。
【００１１】
LTE等のセルラネットワークは、あるデバイスが、他のデバイスに接続し、又は他のデバイスと通信するのを可能としてもよい。現在のLTEネットワークは、ヘテロジニアスネットワーク（HetNet）構成の中に構成されるマクロセル及びスモールセルの双方を含んでいてもよい。マクロセル及びスモールセルの（進化型NodeB（eNodeB）等の）基地局は、複数の異なる周波数帯域上で動作するように構成されてもよい。さまざまなタイプの通信コンテンツに適する1つ又は複数の周波数帯域、すなわち、スペクトラムは、基地局が他のデバイスに接続し、又は他のデバイスと通信するのに必要とされる。
【００１２】
ライセンスされた共有アクセス（LSA）は、利用可能なスペクトラムを拡大するメカニズムを提供することで、3GPP  LTEシステムの容量を有意に高めることができる。現在、（例えば、2.3[GHz]帯の中の100[MHz]、2.6[GHz]帯の中の100+[MHz]等の）複数のLTEに互換性があるスペクトラム帯域は、LSA用に考慮されつつある。LSAスペクトラム共有フレームワークは、多くの無線機器ベンダ、オペレータ、政府機関省庁、及び標準化機関によって強く支持され、待望されている。上記のフレームワークにおいては、既存のスペクトラム保持者が、セカンダリユーザ（すなわち、ネットワークオペレータ等）のグループによるライセンスされたスペクトラムの未使用の部分への調整された共有アクセスを許容し、その結果、他方で使用されないまま保たれている無線スペクトラムの大きな部分が、LTEネットワークにわたってなおも増加しつつあるトラフィック需要を満たすために複数のネットワークオペレータに対して利用可能となる。
【００１３】
利用可能なスペクトラムからますます大きなデータレートを得るための革新が現在進行中である一方で、同時に、見込まれるトラフィックの増加は、モバイルブロードバンドオペレーターが保持する固定のライセンスされたスペクトラムではもはや需要を満たすことはできなくなるであろうということを示している。その理由は、ライセンスのために利用可能なスペクトラムの準備量が制限されており、増大する需要とともには大きくすることができないからである。LSAフレームワークは、プライマリスペクトラムホルダー（PSH）として知られている既存のユーザが、ライセンスされたスペクトラムの未使用の部分へのアクセスをセカンダリスペクトラムホルダー（SSH）のグループとの間で共有することができるようにすることで、上記の制限に取り組んでいる。PSHは、スペクトラムに対して独占的な権利を保持しており、SSHからのスペクトラムの回収を要求することができる。LSAフレームワークを使用して追加のスペクトラムを取得する際に、LTEネットワークは、PSHのスペクトラムの再利用を優雅に受け入れることにより、利用可能なスペクトラムの動的な性質に適応することを要求される。
【００１４】
LTE基地局eNodeB（eNB）は、PSHによるこれから起こる再利用を通知されると、LSA帯域を解放する。短い猶予期間が与えられると、eNBは、その猶予期間内にスペクトラムの解放に必要とされるステップを完了することができる。上記のプロセスのうちの1つのステップは、LSA帯域を介してeNBに接続されているLTEユーザ機器（UE）を、LTEオペレータのプライマリLTE帯域に移動させる又はハンドオーバさせることである。LSA強化型LTEシステムにおいては、既存のユーザによる再利用の場合におけるオペレータのライセンスされたプライマリLTE帯域へのユーザ機器（UE）のハンドオーバが頻繁に起こる可能性がある。eNBは、プライマリLTE帯域に戻るようにLSA帯域上のUEに指示するための猶予期間又は十分な時間を許可されていない可能性があり、又は、LSA帯域が、ハンドオーバプロセスの完了前に利用可能でなくなっている可能性もあり、結果として、UEとeNBとの間の接続の喪失につながる可能性もある。上記のような方法でハンドオフの間に切り離されたUEは、プライマリLTE帯域を選択して再接続するように強制される。現在の3GPP仕様は、UEに完全な無線リソース制御（RRC）接続確立／再確立プロセスを実行することを要求し、このことは、無線リソース制御（RRC）セキュリティの活性化、非アクセス階層（NAS）セキュリティの活性化、及びさまざまなベアラの確立等の無線シグナリングリソース上のペナルティ及び他のオーバーヘッドペナルティを被ることにつながる。
【００１５】
現在の3GPPハンドオーバメカニズムは、中断されたLSAハンドオーバシナリオ用には設計されていない。何ら変更がされない場合には、LSAハンドオーバメカニズムを切り離した現在のハンドオーバは、無線アクセスネットワークにおける無線シグナリングのきわめて唐突なそして大きなスパイクを生じ、再接続を遅延させるであろう。図1乃至6は、減少されたシグナリングオーバーヘッドを有するLSA帯域からのUEの中断されたハンドオーバの間の迅速な再接続のためのさまざまなハンドオーバシグナリングメカニズムを詳述している。新規な接続確立/再確立の要因が、LSA帯域が既存免許人によって再利用される場合に、あるUEによって送信されるRRC接続確立/再確立要求に導入される。その新たな接続確立/再確立の要因は、次世代ユニバーサル移動体通信システム（UMTS）地上波無線アクセスネットワーク（E-UTRAN）に、UEがLSA帯域の喪失によりプライマリLTE帯域と関連するセルへの接続を要求していることを知らせるであろう。LSA帯域とプライマリLTE帯域とは、同じeNBにおける2つのセルとして配置されるので、E-UTRANは、共通のeNBとの新たなプライマリLTE帯域接続のために、LSA帯域上の前の接続からの（確立されたベアラのセキュリティパラメータ等の）情報を使用することで、RRC接続確立/再確立プロセスを最小化する。新たに導入された接続確立/再確立の要因は、無線シグナリングオーバーヘッド及び遅延を改善するのに利用することができる。
【００１６】
図1は、セルラネットワークにおける動的なLSA周波数の共有の一例を図示するハイレベルブロック線図を示している。図１はシステム100の一例を示しており、システム100は、矢印104で示されているように、追加のLSA周波数帯域106からスペクトラムを受け取り又は追加のLSA周波数帯域106にスペクトラムを返すプライマリ（レガシー）LTE帯域102を含む。プライマリLTE帯域102は、時分割複信（TDD）帯域108又は周波数分割複信（FDD）帯域110を含んでもよい。追加のLSA周波数帯域106からの追加のスペクトラムは、TDD帯域又はFDD帯域のいずれであってもよい。
【００１７】
図2は、例示的な追加のライセンスされた共有アクセス（LSA）システム200を図示するハイレベルブロック線図を示している。伝統的なLSAシステムにおいては、既存免許人201a乃至201cは、もとからのスペクトラム所有者である。LSAリポジトリ203は、スペクトラムの利用可能性及びスペクトラムの共有のより短期的な態様に関する情報を格納するデータベースである。LSAリポジトリ203は、LSAコントローラ205と通信可能に接続され、LSAコントローラ205は、情報管理を実行し、LSAリポジトリ203のデータベースコンテンツを複数のLSA周波数免許取得者のためのスペクトラムアクセス状況に変換する。一方で、保守運用機能（OA&M）207は、ネットワークオペレータのネットワークの運用、統治、及び管理を提供する。OA&M207は、1つ又は複数のユーザ機器（UE）211を取り扱うネットワークオペレータのeNB又は基地局209a及び209bのための制限された短期的な追加のスペクトラムを管理する。
【００１８】
図3は、いくつかの例示的な実施形態に従った、UE211によるLSAのための中断されたハンドオフの再接続のための方法300を図示するハイレベルフローチャートである。1つの改善されたシグナリングメカニズムが、LSA周波数帯域106が利用可能でなくなった際に中断したハンドオフの間にUE211をプライマリLTE帯域102に再接続するために提供され、伝統的に生じることとなる大きな量の無線トラフィックを低減するのみならず、ユーザが経験する付随的に生ずるハンドオフの遅延をも低減する。UE211は、LSA周波数帯域106の再利用の期間中にeNB209との通信を喪失する際に、eNB209との確立されている接続を有しているか、又は、アイドル状態のeNB209に接続されているかのいずれか場合であってよい。
【００１９】
LSA周波数帯域106の解放のためにUE211が無線リソース制御（RRC）接続リクエストを行っているということをeNB209に知らせるためのメカニズムは、RRC接続再確立要求メッセージの中に新たなRRC接続確立/再確立の要因を定義することにより実現される。新規な接続確立/再確立の要因、すなわち、RRC接続要求メッセージの中の及びRRC接続再確立要求メッセージの中のLSASpectrumReleaseが双方の場合のために提供され、UE211は、既存免許人201によるLSA周波数帯域106の再利用のためにLSA周波数帯域106上の確立されている接続性又はアイドル接続性を喪失する。LSA周波数帯域が利用可能でなくなった後に、UE211が、確立されている接続を有している（すなわち、LSA周波数帯域106上のRRC-接続状態）場合には、RRC接続確立/再確立の要因は、UE211によって送信されるRRC接続再確立要求メッセージの中で再確立の要因として指定される。E-UTRANは、LSASpectrumRelease要因の指標を使用して、LSA周波数帯域106を介するUE211の前の接続からの確立されたベアラのセキュリティパラメータ及びアクセス階層/非アクセス階層（AS/NAS）セキュリティパラメータ等の情報を再利用することによりRRC接続再確立プロセスを最小化してもよい。E-UTRANは、LSA周波数帯域106の喪失及びその後続く利用不可能性を通知された際にLSA周波数帯域106からハンドオフされたUE211に接続受入れ優先順位を提供してもよい。
【００２０】
LSA周波数帯域106に接続されているUE211が、LSA周波数帯域106の再利用の間にRRC-Idle状態にある場合には、RRC接続確立/再確立の要因は、RRC接続要求メッセージの中で確立の要因として示される。E-UTRANは、LSASpectrumRelease要因の指標を使用して、RRC接続確立プロセスを最小化してもよい。E-UTRANは、LSA周波数帯域106の利用不可能性によりLSA周波数帯域106から再接続するUEに接続受入れ優先順位を提供してもよい。
【００２１】
開示されるRRC接続確立/再確立の方法は、LSA強化型LTEネットワークシステム100における既存免許人201によるLSA周波数帯域106の再利用の間の無線シグナリングオーバーヘッド及び接続確立/再確立の遅延を低減する。現在の3GPP仕様は、RRC接続/再接続シグナリングのためのLSA特有の規定を含んでおらず、このことは、LSA周波数帯域106の再利用イベントの間に必要とされる無線シグナリングオーバーヘッドよりも高い無線シグナリングオーバーヘッド及び必要とされる再接続遅延よりも大きな再接続遅延を被ることにつながる。LSA用の中断されるハンドオフの再接続のための例示的な方法が、動作302乃至318で詳述される。
【００２２】
動作302において、UE211は、既存免許人201によるLSA周波数帯域106の再利用の間にLSA周波数帯域106上でのeNB209との接続性を喪失する。制御は動作304に進む。動作304において、UE211は、eNB接続がRRC-Connected状態を有しているか又はRRC-Idle状態を有しているかを決定する。UE211がRRC-Connected状態で動作している場合には、制御は動作306に進む。そうでなく、UE211がRRC-Idle状態で動作している場合には、制御は動作312に進む。
【００２３】
動作306において、UE211は、LSASpectrumRelease要因を示すRRC接続再確立要求メッセージを送信する。制御は動作308に進み、動作308においては、UE211が、プライマリLTE周波数帯域102に選択的に再接続され、その後、動作310で、RRC接続再確立完了メッセージを送信する。
【００２４】
動作312において、UE211は、動作314においてLSASpectrumRelease要因を示すRRC接続要求メッセージを送信する前に、アップリンクデータまたはダウンリンクデータの到着を待つ。制御は動作316に進み、動作316においては、UE211は、プライマリLTE周波数帯域102に選択的に接続され、その後、動作318において、RRC接続セットアップ完了メッセージを送信する。
【００２５】
図4Aは、図示されているように、メッセージM1  402及びメッセージM2  404を送信及び受信するように構成されるeNB209により実行される放棄されたLSAスペクトラムリソースの喪失を妨げる手順の間に中断したハンドオフに応答してUE211の再接続を達成するためのシグナリング及びメッセージングメカニズムのメッセージング手順のシーケンス図を示している。UE211の再接続は、UE211がLSA周波数帯域106の喪失の時点でRRC-Connected状態にある場合に実行される。LSA周波数帯域106が再利用されるときに、UE211が、LSA周波数帯域106上で動作するeNB209に接続されていると、RRC接続確立/再確立の要因は、UE211によって送信されるRRC接続再確立要求メッセージM1  402の中でLSASpectrumRelease要因として示される。
【００２６】
LSA周波数帯域106が既存免許人によって再利用され、RRC-Connected状態にあるUE211がLSA周波数帯域106の喪失に起因して切り離される場合に、UE211は、LSASpectrumRelease要因を示すRRC接続再確立要求メッセージM1  402を送信する。eNB209は、関連するプライマリLTE周波数帯域102へのUE211の再接続412を最適化する。最適化は、LSA周波数帯域106へのUE211の接続に関する情報に従って手順をカスタマイズするために、LSA周波数帯域106へのUE211の前の接続に関する情報を再利用することを伴う。eNB209は、確立された接続の期間中に切り離されたUE211に接続受入れ優先順位を提供してもよい。UE211がプライマリLTE周波数帯域102に再接続されると、UE211は、RRC接続再確立完了メッセージM2  404を送信する。
【００２７】
更新されたRRC接続再確立要求メッセージM1  402の複数のパラメータフィールドは、表1に示される。
【表１】
0006416287.tif 000002
【００２８】
図4Bは、図示されているように、複数のメッセージM3  408及びM4  410を送信及び受信するように構成されるeNB209によって実行される、放棄されたLSAスペクトラムリソースの喪失を防止する間の中断されたハンドオフに応答してUE211の再接続を達成するためのシグナリング及びメッセージングメカニズムのメッセージング手順のシーケンス図である。UE211の接続は、UE211がLSA周波数帯域106の喪失の時点でRRC-Idle状態にある場合に実行される。LSA周波数帯域106が再利用される際に、UE211がLSA周波数帯域106上でeNB209に接続されていると、RRC接続確立/再確立の要因が、UE211によって送信されるRRC接続要求メッセージの中でLSASpectrumReleaseの要因として示される。
【００２９】
LSA周波数帯域106が既存の免許人によって再利用され、Idle状態にあるUE211がLSA周波数帯域の喪失に起因して切り離される場合に、UE211は、RRC接続再確立を直ちには要求しない。むしろ、UE211は、プライマリLTE周波数帯域102と関連するeNB209を単に再選択し、RRC接続要求を実行する前にダウンリンクデータ又はアップリンクデータの到着を待つ。
【００３０】
UE211がダウンリンクデータ又はアップリンクデータの到着を経験する時点で、UE211は、LSASpectrumReleaseの要因を示すRRC接続要求メッセージM3  408を送信する。eNB209は、関連するプライマリLTE周波数帯域102へのUE211の接続414を最適化する。eNB209は、確立される接続の間、切り離されたUE211に接続受入れ優先順位を提供してもよい。UE211は、プライマリLTE周波数帯域102に再接続された際に、RRC接続セットアップ完了メッセージM4  410を送信する。
【００３１】
更新されたRRC接続要求メッセージM3  408の複数のパラメータフィールドが表2に示される。
【表２】
0006416287.tif 000003
【００３２】
図5は、いくつかの実施形態に従った例示的な通信局500の機能ブロック図を示す。図5は、いくつかの実施形態に従った（図2の）eNB209又はUE211として使用するのに適している通信局の機能ブロック図を図示している。通信局500は、ハンドヘルドデバイス、モバイルデバイス、セルラーフォン、スマートフォン、タブレット、ネットブック、無線端末、ラップトップコンピュータ、フェムトセル高データレート（HDR）加入者局、アクセスポイント、アクセス端末、又は他のパーソナル通信システム（PCS）デバイスとして使用するのに適していてもよい。
【００３３】
通信局500は、1つ又は複数のアンテナを使用して、他の通信局に信号を送信し、また他の通信局から信号を受信するトランシーバ510を有する物理層回路502を含んでいてもよい。物理層回路502は、無線媒体へのアクセスを制御するメディアアクセス制御（MAC）回路504を含んでいてもよい。通信局500は、本明細書で説明される動作を実行するように構成される処理回路506及びメモリ508を含んでいてもよい。いくつかの実施形態において、物理層回路502及び処理回路506は、図3及び4で詳述される動作を実行するように構成されてもよい。
【００３４】
いくつかの実施形態によれば、MAC回路504は、無線媒体を共有するように構成されてもよく、無線媒体を介して通信するためにフレーム又はパケットを構成し、物理層回路502は、信号を送信及び受信するように構成されてもよい。物理層回路502は、変調/復調、アップコンバージョン/ダウンコンバージョン、フィルタリング、増幅等のための回路を含んでもよい。いくつかの実施形態において、通信局500の処理回路506は、1つ又は複数のプロセッサを含んでもよい。いくつかの実施形態において、2つまたはそれ以上のアンテナが、信号を送信及び受信するように構成された物理層回路502に接続されていてもよい。メモリ508は、メッセージフレームを構成及び送信する動作、並びに本明細書において説明されるさまざまな動作を実行するように処理回路506を構成する情報を格納していてもよい。メモリ508は、（コンピュータ等の）機械により読み取り可能な形態で情報を格納する非一時的なメモリ等のいずれかのタイプのメモリを含んでいてもよい。例えば、コンピュータ読み取り可能な記憶デバイスは、リードオンリーメモリ（ROM）、ランダムアクセスメモリ（RAM）、磁気ディスク記録媒体、光記録媒体、フラッシュメモリデバイス、並びに他の記憶デバイス及び媒体を含んでもよい。
【００３５】
いくつかの実施形態において、通信局500は、パーソナルディジタルアシスタント（PDA）、無線通信能力を持つラップトップコンピュータ若しくはポータブルコンピュータ、ウェブタブレット、無線電話、スマートフォン、無線ハンドセット、ページャ、インスタントメッセージングデバイス、ディジタルカメラ、アクセスポイント、テレビジョン、（心拍数モニタ及び血圧値モニタ等の）医療機器、又は情報を無線で送信及び/又は受信することができる他のデバイス等の携帯無線通信デバイスの一部であってもよい。
【００３６】
いくつかの実施形態において、通信局500は、1つ又は複数のアンテナ501を含んでいてもよい。アンテナ501は、例えば、ダイポールアンテナ、モノポールアンテナ、パッチアンテナ、ループアンテナ、マイクロストリップアンテナ又はRF信号の送信に適する他のタイプのアンテナを含む1つ又は複数の指向性アンテナ又は全方向性アンテナを含んでもよい。いくつかの実施形態において、2つ又はそれ以上のアンテナの代わりに、複数の開口を有する単一のアンテナを使用してもよい。上位の実施形態において、各開口は、個別のアンテナとして考えることができる。他入力他出力（MIMO）伝送を実装するいくつかの実施形態において、アンテナは、送信局のアンテナと受信局のアンテナの各々の間で空間ダイバーシティ及び異なるチャネル特性を実現するように効果的に分離されていてもよい。
【００３７】
いくつかの実施形態において、通信局500は、キーボード、ディスプレイ、不揮発性メモリポート、複数アンテナ、グラフィックプロセッサ、アプリケーションプロセッサ、スピーカ、及びモバイルデバイスのための他の構成要素のうちの1つ又は複数を含んでもよい。ディスプレイは、タッチスクリーンを含むLCDスクリーンであってもよい。
【００３８】
通信局500は、複数の個別の機能要素を含むように図示されているが、これらの機能要素の2つ又はそれ以上は、組み合わされ、ディジタル信号プロセッサ（DSP）を含む処理要素等の複数のソフトウェアで構成された要素及び/又は他のハードウェア要素との組み合わせで実装されてもよい。例えば、いくつかの要素は、1つ又は複数のマイクロプロセッサ、DSP、フィールドプログラマブルゲートアレイ（FPGA）、及び無線周波数集積回路（RFIC）、本明細書中で説明される少なくとも1つの機能を実行するためのさまざまなハードウェアと論理回路との組み合わせを含んでもよい。いくつかの実施形態において、通信局500の機能的要素は、1つ又は複数の処理要素上で動作する1つ又は複数のプロセッサを指してもよい。
【００３９】
複数の実施形態は、ハードウェア、ファームウェア、及びソフトウェアのうちの1つ又はこれらの組み合わせで実装されてもよい。複数の実施形態は、コンピュータ読み取り可能な記憶デバイスに格納される複数の命令として実装されてもよく、これらの複数の命令は、読みだされ、本明細書において説明される動作を実行する少なくとも1つのプロセッサによって実行されてもよい。コンピュータ読み取り可能な記憶デバイスは、（例えば、コンピュータ等の）機械によって読み取り可能な形態で情報を格納するいずれかの非一時的メモリメカニズムを含んでもよい。例えば、コンピュータ読み取り可能な記憶デバイスは、リードオンリーメモリ（ROM）、ランダムアクセスメモリ（RAM）、磁気ディスク記録媒体、光記録媒体、フラッシュメモリデバイス、並びに他の記憶デバイス及びメディアを含んでもよい。いくつかの実施形態において、通信局500は、1つ又は複数のプロセッサを含んでもよく、コンピュータ読み取り可能な記憶デバイスに格納されている複数の命令で構成されてもよい。
【００４０】
図6は、例示的な機械600のブロック図であり、機械600は、本明細書で議論される（方法等の）複数の技術のうちの1つ又は複数のいずれかを実行するものであってもよい。代替的な実施形態において、機械600は、スタンドアローンデバイスとして動作してもよく、他の機会と（例えば、ネットワーク上に）接続されていてもよい。ネットワーク上の配置において、機械600は、サーバマシンとして、クライアントマシンとして、又はサーバクライアントネットワーク環境で動作してもよい。一例では、機械600は、ピアツゥピア（P2P）ネットワーク環境（又は他の分散処理ネットワーク環境）でピアマシンとして動作してもよい。機械600は、パーソナルコンピュータ（PC）、タブレットPC、セットトップボックス（STB）、パーソナルディジタルアシスタント（PDA）、モバイルフォン、ウェブ機器、ネットワークルータ、スイッチ又はブリッジ、又は基地局等の機械によって行われる動作を指定する（順次命令又は他の形態の命令等の）複数の命令を実行することができるいずれかの機械であってもよい。さらに、単一の機械のみが図示されているが、「機械」の語は、機械のいずれかの集合体を含むように用いられるべきであり、クラウドコンピューティング、サービス型ソフトウェア（SaaS）、又は他のコンピュータクラスター構成等のそれらの機械の集合体は、個々に又は共同で複数の命令の1つ（又は複数の）セットを実行して、本明細書で議論される複数の方法のうちの1つ又は複数のいずれかを実行する。
【００４１】
本明細書で説明される複数の例は、ロジック、又は複数の構成要素、モジュール、若しくはメカニズムを含んでもよく、これらの上で動作してもよい。モジュールは、動作する際に複数の固有の動作を実行することができる（ハードウェア等の）有体物であってもよい。モジュールはハードウェアを含んでもよい。一例では、（例えば、ハードワイヤードの）ハードウェアは、特に、固有の動作を実行するように構成されていてもよい。他の例では、ハードウェアは、複数の命令を含むコンピュータ読み取り可能な媒体及び（複数のトランジスタ及び複数の回路等の）構成可能な実行ユニットを含んでもよく、複数の命令は、上記の実行ユニットを、動作状態にあるときに固有の動作を実行するように構成する。上記の構成する手順は、実行ユニットまたはローディングメカニズムの指示のもとで生起してもよい。したがって、実行ユニットは、デバイスが動作する際に、コンピュータ読み取り可能な媒体と通信可能に接続される。上記の例においては、実行ユニットは、1つよりも多いモジュールのうちの1つであってもよい。例えば、動作において、実行ユニットは、複数の命令の第1のセットにより構成されて、時間的なある1点において第1のモジュールを実装してもよく、また、複数の命令の第2のセットによって構成されて、時間的な他の点において第2のモジュールを実装してもよい。
【００４２】
（コンピュータシステム等の）機械600は、（中央処理ユニット（CPU）、グラフィックス処理ユニット（GPU）、ハードウェアプロセッサコア、又はそれらのいずれかの組み合わせ等の）ハードウェアプロセッサ602、主メモリ604、スタティックメモリ606、及び（バス等の）相互リンク608を介して互いと通信可能である上記の要素のいくつか又はすべてを含んでもよい。機械600は、さらに、電力管理デバイス632、グラフィックスディスプレイデバイス610、（キーボード等の）英数字入力デバイス612、（マウス等の）ユーザインターフェイス（UI）ナビゲーションデバイス614を含んでもよい。一例では、グラフィックスディスプレイデバイス610、英数字入力デバイス612、及びUIナビゲーションデバイス614は、タッチスクリーンディスプレイであってもよい。機械600は、さらに、（ドライブユニット等の）記憶デバイス616、（スピーカ等の）信号生成デバイス618、1つ又は複数のアンテナ630に接続されるネットワークインターフェイスデバイス/トランシーバ620、及び全地球的測位システム（GPS）センサ、コンパス、加速度計、又はその他のセンサ等の1つ又は複数のセンサ628を含んでもよい。機械600は、さらに、（プリンタ又はカードリーダ等の）1つ又は複数の周辺デバイスと通信し又はこれらを制御する（ユニバーサルシリアルバス（USB）等の）シリアル接続、パラレル接続、又は他の有線接続又は（赤外線（IR）、近距離無線通信（NFC）等の）他の無線接続等の出力コントローラ634を含んでもよい。
【００４３】
記憶デバイス616は、機械読み取り可能な媒体622を含み、その機械読み取り可能な媒体622は、本明細書で説明される技術の1つ又は複数のいずれかを実現し又は本明細書で説明される機能の1つ又は複数のいずれかによって利用される（ソフトウェア等の）データ構造又は命令624の1つ又は複数のセットを格納している。命令624は、機械600による命令の実行中に、完全に又は少なくとも部分的に、主メモリ604の中に、スタティックメモリ606の中に、又はハードウェアプロセッサ602の中に存在していてもよい。一例では、ハードウェアプロセッサ602、主メモリ604、又は記憶デバイス616のうちの1つ又はこれらのいずれかの組み合わせは、機械読み取り可能な媒体を構成してもよい。
【００４４】
機械読み取り可能な媒体622は単一の媒体として図示されているが、「機械読み取り可能な媒体」の語は、1つ又は複数の命令624を格納するように構成される（集中型データベース又は分散データベース及び/又は関連するキャッシュ及びサーバ等の）単一の媒体又は複数の媒体を含んでもよい。
【００４５】
「機械読み取り可能な媒体」の語は、機械600による実行のために複数の命令を格納し、符号化し、又は搬送することができ、かつ、機械600に、本明細書に記載された技術の1つ又は複数を実行させ、又は上記の命令によって使用される若しくは上記の命令と関連するデータ構造を格納し、符号化し、又は搬送することができるいずれかの媒体を含んでもよい。機械読み取り可能な媒体の非制限的な例は、ソリッドステイトメモリ、光媒体、及び磁気媒体を含んでもよい。一例では、結集した機械読み取り可能な媒体は、休止状態の部分を有する複数の小片を持つ機械読み取り可能な媒体を含む。結集した機械読み取り可能な媒体の特有の例は、（例えば、電気的プログラマブルリードオンリーメモリ（EPROM）又は電気的消去可能なプログラマブルリードオンリーメモリ（EEPROM）等の）半導体メモリデバイス、フラッシュメモリデバイス、並びに内部ハードディスク及びリムーバブルディスク等の磁気ディスク、磁気光ディスク、CD-ROMディスク及びDVD-ROMディスク等の不揮発性メモリを含んでもよい。
【００４６】
命令624は、（例えば、フレームリレープロトコル、インターネットプロトコル（IP）、伝送制御プロトコル（TCP）、ユーザデータグラムプロトコル（UDP）、ハイパーテキスト転送プログラム（HTTP）等の）複数の転送プロトコルのうちのいずれか1つを利用するネットワークインターフェイスデバイス/トランシーバ620を介して、伝送媒体を使用して通信ネットワーク626を通して送信され又は受信されてもよい。複数の通信ネットワークの例は、特に、ローカルエリアネットワーク（LAN）、ワイドエリアネットワーク（WAN）、（インターネット等の）パケットデータネットワーク、（セルラネットワーク等の）モバイルテレフォンネットワーク、基本電話サービス（POTS）ネットワーク、（Wi-Fiとして業界団体に共通に知られているアメリカ電気電子通信学会（IEEE）802.11ファミリー、及びWiMAXとして業界団体に共通に知られているIEEE802.16ファミリー等の）無線データネットワーク、IEEE802.15.4ファミリー、及びピアツゥピア（P2P）ネットワークを含んでもよい。一例では、ネットワークインターフェイスデバイス/トランシーバ620は、（例えば、イーサネット(登録商標)ジャック、同軸ジャック、又は電話ジャック等の）1つ又は複数の物理ジャック、又は通信ネットワーク626に接続する1つ又は複数のアンテナを含んでもよい。一例では、ネットワークインターフェイスデバイス/トランシーバ620は、単一入力多出力（SIMO）伝送、多入力多出力（MIMO）伝送、多入力単一出力（MISO）伝送技術のうちの少なくとも1つを使用して無線で通信を行う複数のアンテナを含んでもよい。「伝送媒体」の語は、機械600による実行のために複数の命令を格納し、符号化し、又は搬送することができるいずれかの無形の媒体を含むものと考えられるべきであり、ディジタル通信信号、アナログ通信信号、又は他の無形の媒体を含み、上記のソフトウェアの通信を容易にする。
【００４７】
1つの実施形態において、UEはトランシーバを含み、該トランシーバは、ライセンスされた共有アクセス（LSA）周波数スペクトラムの喪失の間の接続状態を判定し、前記UEが確立された接続の状態にある場合には再接続要求メッセージを送信し、或いは、前記UEがアイドル状態にある場合には接続要求メッセージを送信し、前記再接続要求メッセージ及び前記接続要求メッセージは、LSA周波数帯域の喪失の要因を搬送し、前記LSA周波数帯域の喪失の前記要因に従って、選択的に、プライマリロングタームエボリューション（LTE）周波数帯域に接続し、接続完了メッセージまたは再接続完了メッセージを送信する。
【００４８】
他の実施形態において、不揮発性コンピュータ読み取り可能な記憶デバイスは、格納された命令を含み、前記命令は、コンピュータによって実行されると、前記コンピュータに、ライセンスされた共有アクセス（LSA）周波数帯域スペクトラムの喪失の間の接続状態を判定する動作と、UEが確立された接続の状態にある場合には再接続要求メッセージを送信し、或いは、前記UEがアイドル状態にある場合には接続要求メッセージを送信する動作とを実行させ、前記再接続要求メッセージ及び前記接続要求メッセージは、LSA周波数帯域の喪失の要因を搬送し、前記命令は、さらに、前記コンピュータに、前記LSA周波数帯域の喪失の前記要因に従って、選択的に、プライマリロングタームエボリューション（LTE）周波数帯域に接続する動作と、接続完了メッセージまたは再接続完了メッセージを送信する動作とを実行させる。
【００４９】
さらに別の実施形態において、E-UTRANは、UEが確立された接続の状態にある場合には再接続要求メッセージを受信し、或いは、前記UEがアイドル状態にある場合には接続要求メッセージを受信し、前記再接続要求メッセージ及び前記接続要求メッセージは、LSA周波数帯域の喪失の要因を示し、前記LSA周波数帯域の喪失の前記要因に従って、選択的に、プライマリロングタームエボリューション（LTE）周波数帯域に接続するように前記UEに指示し、前記UEが選択的に前記プライマリロングタームエボリューション（LTE）周波数帯域に接続した後に、接続完了メッセージ又は再接続完了メッセージを受信するように構成される。
【図１】
0006416287.tif 000004
【図２】
0006416287.tif 000005
【図３】
0006416287.tif 000006
【図４Ａ】
0006416287.tif 000007
【図４Ｂ】
0006416287.tif 000008
【図５】
0006416287.tif 000009
【図６】
0006416287.tif 000010